(57)【要約】【課題】外出先等により機器から離れた状態において、遠隔操作により、洗濯終了時刻を変更可能とし、洗濯開始までの期間における洗濯槽内の衣類の除菌を行えるようにした衣類処理装置を提供することを目的とする。【解決手段】洗濯槽２と、外部ネットワークを介して外部機器と通信可能な通信部３５と、洗濯槽２内の衣類を除菌する静電霧化発生装置３と、通信部３５や静電霧化発生装置３などを制御するコントローラ９とを備え、通信部３５を介して外部機器から遠隔操作可能な遠隔操作活性化状態において、コントローラ９は、静電霧化発生装置３により洗濯槽２内の衣類を除菌する。【選択図】図４
2018134265.tif 000002
【特許請求の範囲】
【請求項１】
洗濯槽と、
外部ネットワークを介して外部機器と通信可能な通信部と、
前記洗濯槽内の衣類を除菌する除菌手段と、
前記通信部や前記除菌手段などを制御するコントローラと、を備え、
前記外部機器からの遠隔操作を前記外部ネットワーク及び前記通信部を介して受け付ける遠隔操作活性化状態において、
前記コントローラは、前記除菌手段により前記洗濯槽内の衣類を除菌する衣類処理装置。
【請求項２】
前記洗濯槽内に衣類が収容されていることを検知する衣類検知部を更に備え、前記コントローラは、前記遠隔操作活性化状態で、かつ、前記衣類検知部により前記洗濯槽内に前記衣類が収容されていることが検知された場合には、前記除菌手段により前記洗濯槽内の衣類を除菌する請求項１に記載の衣類処理装置。
【請求項３】
前記コントローラは、前記遠隔操作活性化状態で、かつ、前記洗濯槽内に衣類が収容されてから所定時間経過後に、前記除菌手段により前記洗濯槽内の衣類を除菌する請求項２に記載の衣類処理装置。
【請求項４】
前記除菌手段は、除菌物質を生成して前記洗濯槽内へ前記除菌物質を供給する請求項１〜３のいずれか１項に記載の衣類処理装置。
【請求項５】
前記コントローラは、前記遠隔操作活性化状態において、前記除菌手段により生成された除菌物質を前記洗濯槽内へ間欠的に供給する請求項４に記載の衣類処理装置。
【請求項６】
前記洗濯槽を回転させるモータを備え、前記コントローラは、前記遠隔操作活性化状態において、前記除菌手段から生成された前記除菌物質を前記洗濯槽内へ供給している際に、前記モータにより前記洗濯槽を所定時間回転駆動させる請求項４または５に記載の衣類処理装置。
【請求項７】
前記除菌手段は、空気中の水分を結露させた後、静電霧化方式により前記結露水を微細化することにより静電霧化発生粒子を生成させる静電霧化発生装置により構成された請求項４〜６のいずれか１項に記載の衣類処理装置。
【発明の詳細な説明】
【技術分野】
【０００１】
本発明は、外部端末と通信可能に構成され、衣類を除菌できる衣類処理装置に関する。
【背景技術】
【０００２】
特許文献１は、洗濯槽内を除菌する洗濯機を開示する。この洗濯機は、筐体と、水槽と、洗濯槽と、水に高電圧を印加してＯＨラジカルを生成する除菌装置と、を備える。これにより、最終脱水工程の後に除菌装置により生成されたＯＨラジカルを洗濯槽内へ供給することにより、洗濯槽内の衣類を除菌することができる。
【先行技術文献】
【特許文献】
【０００３】
【特許文献１】特開２００８−２３７４４３号公報
【発明の概要】
【発明が解決しようとする課題】
【０００４】
しかしながら、前記従来の構成では、朝、洗濯機に衣類を収納して外出し、外出先から携帯端末を操作し、夜間の帰宅時に合わせて運転予約設定した場合には、洗濯機内に衣類が長時間放置され、衣類の菌が増殖するという課題があった。
【０００５】
本発明は、前記従来の課題を解決するもので、外出先等により洗濯機内に衣類を長時間放置する場合でも、洗濯開始までの洗濯槽内の衣類の増殖を抑制できる衣類処理装置を提供することを目的とする。
【課題を解決するための手段】
【０００６】
前記従来の課題を解決するために、本発明の衣類処理装置は、洗濯槽と、外部ネットワークを介して外部機器と通信可能な通信部と、前記洗濯槽内の衣類を除菌する除菌手段と、前記通信部や前記除菌手段などを制御するコントローラとを備え、前記通信部を介して前記外部機器から遠隔操作可能な遠隔操作活性化状態において、前記コントローラは、前記除菌手段により前記洗濯槽内の衣類を除菌するものである。
【０００７】
これによって、外出先等により機器から離れた状態において、遠隔操作により、洗濯終了時刻が変更可能なため、洗濯開始までの期間における洗濯槽内の衣類の除菌を行うことができる。
【発明の効果】
【０００８】
本発明の洗濯機は、外出先等により機器から離れた状態において、遠隔操作により、洗濯終了時刻を変更可能とし、洗濯開始までの期間における洗濯槽内の衣類の除菌を行うことができるため、長時間放置による衣類付着菌の増殖、またそれに伴う臭気の増大を抑制することが可能となる。
【図面の簡単な説明】
【０００９】
【図１】実施の形態１における洗濯機の斜視図
【図２】実施の形態１における洗濯機の縦断面原理図
【図３】実施の形態１における洗濯機の遠隔操作システムのブロック図
【図４】実施の形態１における洗濯機の遠隔操作活性化状態での運転動作を示すフローチャート
【発明を実施するための形態】
【００１０】
第１の発明は、洗濯槽と、外部ネットワークを介して外部機器と通信可能な通信部と、前記洗濯槽内の衣類を除菌する除菌手段と、前記通信部や前記除菌手段などを制御するコントローラと、を備え、前記外部機器からの遠隔操作を前記外部ネットワーク及び前記通信部を介して受け付ける遠隔操作活性化状態において、前記コントローラは、前記除菌手段により前記洗濯槽内の衣類を除菌することで、外出等により衣類を洗濯槽内に長時間放置する場合でも、洗濯開始までの期間、衣類に付着した菌の繁殖を抑制できる。
【００１１】
第２の発明は、特に第１の発明において、前記洗濯槽内に衣類が収容されていることを検知する衣類検知部を更に備え、前記コントローラは、前記遠隔操作活性化状態で、かつ、前記衣類検知部により前記洗濯槽内に前記衣類が収容されていることが検知された場合には、前記除菌手段により前記洗濯槽内の衣類を除菌する構成とすることで、衣類がない状態での運転を防止し、不要な電力の使用を避けることができる。
【００１２】
第３の発明は、特に第２の発明において、前記コントローラは、前記遠隔操作活性化状態で、かつ、前記洗濯槽内に衣類が収容されてから所定時間経過後に、前記除菌手段により前記洗濯槽内の衣類を除菌する構成とすることで、省電力化を図ることができる。
【００１３】
第４の発明は、特に第１〜第３のいずれか１つの発明において、前記除菌手段は、除菌物質を生成して前記洗濯槽内へ前記除菌物質を供給する構成とすることで、外出等により衣類を洗濯槽内に長時間放置する場合でも、洗濯開始までの期間、衣類に付着した菌の繁殖を抑制できる。
【００１４】
第５の発明は、特に第４の発明において、前記コントローラは、前記遠隔操作活性化状態において、前記除菌手段により生成された除菌物質を前記洗濯槽内へ間欠的に供給する構成とすることで、省電力化を図ることができる。
【００１５】
第６の発明は、特に第４または第５の発明において、前記洗濯槽を回転させるモータを備え、前記コントローラは、前記遠隔操作活性化状態において、前記除菌手段から生成された前記除菌物質を前記洗濯槽内へ供給している際に、前記モータにより前記洗濯槽を所定時間回転駆動させる構成とすることで、効率的に衣類に除菌物質を浸透させることができる。
【００１６】
第７の発明は、特に第４〜第６のいずれか１つの発明において、前記除菌手段は、空気中の水分を結露させた後、静電霧化方式により前記結露水を微細化することにより静電霧化発生粒子を生成させる静電霧化発生装置により構成することで、空気中の水分を利用することができるので、使い勝手を向上させることができる。
【００１７】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１８】
なお、添付図面および以下の説明は、当業者が本開示を十分理解するために、提供されるのであって、これらにより、特許請求の範囲に記載の主題を限定することは意図されていない。
【００１９】
（実施の形態１）
以下、図１〜４を用いて、実施の形態１を説明する。
【００２０】
［１−１．構成］
［１−１−１．洗濯機の構成］
図１は、実施の形態１における洗濯機の斜視図、図２は、実施の形態１における洗濯機の縦断面原理図である。
【００２１】
図１及び図２において、洗濯機本体１の外郭である筐体６の内部には、有底円筒形の受け筒８が複数の防振機構７により弾性的に防振支持されている。受け筒８には、有底円筒形の洗濯槽２が回転可能に配設される。洗濯槽２の周面には、複数の小孔１８が形成されている。受け筒８外底部には、洗濯槽２を回転駆動させる槽回転モータ１４が配設される。
【００２２】
送風経路１２は、受け筒８内底部と受け筒８上部との連通経路として設けられる。送風経路１２と受け筒８内底部との接続箇所には、メッシュ状フィルター１７が設けられている。送風経路１２には、熱交換器１０、送風ファン１１、送風ファン１１を回転させるための送風ファンモータ１３、静電霧化により帯電微粒子水を発生させる静電霧化発生装置３（除菌手段）等が配設されている。上記構成により、送風経路１２内を通りながら、洗濯槽２底面側から洗濯槽２上部へと温風を導くことができる。
【００２３】
筐体６の前方には、洗濯槽２と外部とを連通し衣類２０を出し入れする衣類投入取出口３１が形成されている。衣類投入取出口３１は、蓋４にて開閉自在に覆われている。
【００２４】
筐体６の前方上部には、運転を操作する操作部と、運転状態を表示する表示部と、を備える操作表示部５が配設される。
【００２５】
筐体６には、洗濯機本体１が無線信号を受信するための通信部３５が設けられている。操作表示部５には、通信部３５を介して携帯端末から洗濯機本体１の遠隔操作を可能とする遠隔操作許可スイッチ（図示せず）が設けられている。
【００２６】
筐体６の上方内部には、槽回転モータ１４等を制御し、洗い、すすぎ、脱水等の一連の工程を逐次実行するコントローラ９が配設される。コントローラ９の周辺には、コントローラ９を冷却する基板用冷却ファン１５が配されている。
【００２７】
［１−１−２．静電霧化発生装置の構成］
静電霧化発生装置３は、冷却部（図示せず）によって放電電極（図示せず）を冷却して、放電電極の表面に結露水を生成する。放電電極に高電圧を印加して放電させることにより、ＯＨラジカルを含んだ直径５ｎｍ〜２０ｎｍの帯電微粒子水を空気中に飛散させる。帯電微粒子水は、放電電極の先端部に保持された結露水を霧化させて弱酸性の電荷を持っており、除菌・脱臭効果を有している。
【００２８】
［１―１―３．遠隔操作システムの構成］
図３は、実施の形態１における洗濯機の遠隔操作システムのブロック図である。
【００２９】
図３において、洗濯機本体１の通信部３５は、ゲートウェイシステム３２と無線通信可能に構成される。ゲートウェイシステム３２は、インターネット３３を介してサービスサーバ３４と通信可能に接続される。サービスサーバ３４は、インターネット３３を介して通信端末３０と通信可能に構成される。本実施の形態では、インターネット３３を介してサービスサーバ３４と洗濯機本体１とが通信可能な構成を説明しているが、インターネット３３には洗濯機の他にも冷蔵庫や掃除機等の他の家電機器とも接続可能である。
【００３０】
上記構成により、使用者は、通信端末３０を用いて、インターネット３３、サービスサ
ーバ３４、ゲートウェイシステム３２、通信部３５を介して、洗濯機または洗濯乾燥機に遠隔操作できる構成となっている。洗濯機の遠隔操作とは、通信端末３０を用いて、洗濯機の予約運転時間を設定するなどである。
【００３１】
［１―２．動作］
上記構成における洗濯機において、以下に動作・作用を示す。
【００３２】
［１―２−１．洗濯機の運転動作］
蓋４を開き、衣類投入取出口３１から洗濯槽２内へ衣類２０及び洗剤を投入する。洗濯機本体１の操作表示部５を操作し、洗濯運転を開始させる。受け筒８内には、注水管路（図示せず）から所定量の注水がなされ、槽回転モータ１４により洗濯槽２が回転駆動して洗い工程が開始される。洗濯槽２の回転により、洗濯槽２内に収容された衣類２０には、洗濯槽２の内周壁に設けられた攪拌突起（図示せず）によって回転方向に持ち上げられ、適当な高さ位置から落下する攪拌動作が繰り返される。攪拌動作により、衣類２０に叩き洗いの作用が及ぶので衣類２０に付着した汚れ等を洗浄できる。所要の洗濯時間の後、汚れた洗濯液は排水管路（図示せず）から排出される。洗い工程の後、すすぎ、脱水の各工程が実行される。
【００３３】
遠隔操作許可スイッチがＯＮされると、洗濯機本体１は、通信端末３０からの遠隔操作を受け付ける遠隔操作活性化状態となる。
【００３４】
［１―２−２．遠隔操作活性化状態での運転動作］
図４は、実施の形態１における遠隔操作活性化状態での運転動作を示すフローチャートである。
【００３５】
図４を用いて、遠隔操作活性化状態における工程を説明する。
【００３６】
洗濯機の電源ＯＮ状態（ステップ０）において、遠隔許可スイッチを押すことにより（ステップ１：ＹＥＳ）、遠隔操作活性化状態となる。遠隔操作活性化状態では、通信部３５を介して、通信端末３０から運転終了時刻設定などの遠隔操作を受け付けることができる。
【００３７】
遠隔操作活性化状態に遷移してから第１の所定時間（例えば、１０分間）経過するまでに、通信端末３０から運転終了時刻設定などの遠隔操作を受け付けた場合（ステップ２：ＹＥＳ）、洗濯機本体１は予約完了状態となる。予約完了状態では、運転開始時刻まで静電霧化発生装置３と送風ファンモータ１３が作動し、静電霧化発生装置３により発生した帯電微粒子水は、送風経路１２からメッシュ状フィルター１７を介して、受け筒８及び洗濯槽２内へ供給される（図２の矢印Ａ）。帯電微粒子水が洗濯槽２内に放置された衣類２０に供給されるので、衣類２０を除菌することができる（ステップ３）。
【００３８】
運転開始時刻になれば（ステップ４：ＹＥＳ）、静電霧化発生装置３と送風ファンモータ１３が停止するとともに、洗濯運転が開始される（ステップ５）。洗濯運転が終了すると、洗濯機本体１の電源がＯＦＦになる（ステップ９）。
【００３９】
また、遠隔操作活性化状態に遷移してから第１の所定時間内に遠隔操作を受け付けなかった場合（ステップ２：ＮＯ）においても、静電霧化発生装置３と送風ファンモータ１３は作動する。これにより、衣類２０が洗濯槽２内に長時間放置された場合でも、衣類２０に付着した菌の繁殖を抑制できる（ステップ６）。
【００４０】
Ｓ６へ遷移してから第２の所定時間（例えば、２４時間）経過するまでに、通信端末３
０から遠隔操作を受け付けた場合には（ステップ７：ＹＥＳ）、運転時間開始時刻まで洗濯槽２内に帯電微粒子水を供給する（ステップ４）。ステップ６に遷移してから第２の所定時間経過までに、遠隔操作を受け付けなかった場合には（ステップ７：ＮＯ）、静電霧化発生装置３および送風ファンモータ１３を停止し、洗濯機本体１の電源をＯＦＦする（ステップ９）。
【００４１】
上記方法により、外出先等により洗濯機本体１から離れた状態においても、遠隔操作により、洗濯時刻を設定することができ、さらに、洗濯槽２内に放置された衣類２０の除菌・消臭・抗菌を行うことができる。
【００４２】
なお、静電霧化発生装置３により発生した帯電微粒子水を、洗濯槽２内に間欠的に供給してもよい。洗濯槽２内に帯電微粒子水を間欠的に供給することにより、長時間、洗濯槽２内に衣類を放置した場合でも、比較的低コストで衣類２０を除菌できる。
【００４３】
なお、通信部３５とゲートウェイシステム３２とは、無線ＬＡＮにより通信可能な構成を想定しているが、宅外からの遠隔操作ではなく、宅内からの遠隔操作を想定している場合、通信部３５は、無線ＬＡＮではなく近距離無線通信等を利用して通信可能な構成としてもよい。
【００４４】
なお、槽回転モータ１４の回転速度等に基づき、モータ負荷としての洗濯物重量を検出する衣類検知部を設ける構成としてもよい。上記構成により、コントローラ９は、遠隔操作活性化モードで、かつ、衣類検知部により洗濯槽２内に衣類が収容されていることが検知された場合に限り、静電霧化発生装置３から洗濯槽２内へ静電霧化発生粒子を供給できるため、洗濯槽２内に衣類が投入されていない状態での運転を防止し、無駄な電力の使用を避けることができる。
【００４５】
なお、本発明は、洗濯槽２を所定時間回転駆動させる構成としてもよい。上記構成とすることにより、衣類に満遍なく除菌物質を浸透させることができ、効果的に除菌を行うことができる。また、静電霧化発生装置３により発生した帯電微粒子水を洗濯槽２内に供給している間のみ、洗濯槽２を所定時間回転駆動させる構成とすると更に好ましい。上記構成により、不要な電力を使用することなく、衣類に除菌物質を効率的に浸透させることができる。
【００４６】
本実施の形態では、静電霧化発生装置３を用いて洗濯槽２内の衣類を除菌する構成を説明したが、本発明はこれ限られず、次亜塩素酸、紫外線殺菌、銀イオンなど、他の除菌手段により洗濯槽２内の衣類を除菌してもよい。
【００４７】
なお、本実施の形態は、ドラム式洗濯機を用いて説明したが、本発明はこれに限られず、縦型洗濯機や二槽式洗濯機、乾燥機でも同様の効果を得ることができる。
【産業上の利用可能性】
【００４８】
本発明は、外出先等により機器から離れた状態において、遠隔操作により、洗濯終了時刻を変更可能とし、洗濯開始までの期間における洗濯槽内の衣類の除菌・消臭・抗菌を行うことができる。
【符号の説明】
【００４９】
１  洗濯機本体
２  洗濯槽
３  静電霧化発生装置（除菌手段）
４  蓋
５  操作表示部
６  筐体
７  防振機構
８  受け筒
９  コントローラ
１０  熱交換器
１１  送風ファン
１２  送風経路
１３  送風ファンモータ
１４  槽回転モータ
１５  基板用冷却ファン
１７  メッシュ状フィルター
１８  小孔
２０  衣類
３０  通信端末
３１  衣類投入取出口
３２  ゲートウェイシステム
３３  インターネット
３４  サービスサーバ
３５  通信部
【図１】
2018134265.tif 000003
【図２】
2018134265.tif 000004
【図３】
2018134265.tif 000005
【図４】
2018134265.tif 000006